(57)【要約】【課題】風量低下を防止し、省電力化を図ることのできる送風装置を提供する。【解決手段】空気通路８と、空気通路８内に配されるとともにＰＷＭ制御によって駆動電圧のデューディー比を可変して所定の設定回転数に維持される送風ファン１７とを備え、送風ファン１７により送風して空気通路８内に気流を流通させる送風装置１において、設定回転数に到達した際に空気通路８の流通抵抗に応じて異なるデューティー比に基づいて設定回転数を変更し、送風ファン１７の回転数を変更後の設定回転数に維持した。【選択図】図４
2013087715.tif 000002
【特許請求の範囲】
【請求項１】
空気通路と、前記空気通路内に配されるとともにＰＷＭ制御によって駆動電圧のデューディー比を可変して所定の設定回転数に維持される送風ファンとを備え、前記送風ファンにより送風して前記空気通路内に気流を流通させる送風装置において、前記設定回転数に到達した際に前記空気通路の流通抵抗に応じて異なる前記デューティー比に基づいて前記設定回転数を変更し、前記送風ファンの回転数を変更後の前記設定回転数に維持したことを特徴とする送風装置。
【請求項２】
前記設定回転数に到達した際の前記デューティー比が所定値よりも小さいときに変更後の前記設定回転数を変更前よりも大きくしたことを特徴とする請求項１に記載の送風装置。
【請求項３】
前記設定回転数に到達した際の前記デューティー比が所定値よりも大きいときに変更後の前記設定回転数を変更前よりも小さくしたことを特徴とする請求項１または請求項２に記載の送風装置。
【請求項４】
前記空気通路により連通する吸込口及び吹出口を開口した筐体と、前記筐体に取り付けられて前記吸込口を開閉する蓋部とを備え、前記送風ファンの駆動によって前記吸込口から吸い込まれた空気を前記吹出口から送出し、前記蓋部を開いた際に前記筐体が前記蓋部の支持により卓上に立設されるとともに、前記蓋部を閉じた際に前記蓋部と前記筐体との隙間を介して前記吸込口から吸気され、前記蓋部の開閉による前記空気通路の流通抵抗の変化を前記デューティー比により検知して前記設定回転数を変更したことを特徴とする請求項１〜請求項３のいずれかに記載の送風装置。
【請求項５】
前記空気通路により連通する吸込口及び吹出口を開口した筐体と、前記空気通路内に配されるとともに通気性及び吸水性を有して前記空気通路を流通する空気を加湿する着脱自在の加湿フィルターと、前記加湿フィルターが浸漬される水受け皿と、前記空気通路内に配される集塵フィルターとを備え、前記送風ファンの駆動によって前記吸込口から吸い込まれた空気を前記集塵フィルターにより除塵するとともに前記加湿フィルターにより加湿して前記吹出口から送出し、前記加湿フィルターの着脱による前記空気通路の流通抵抗の変化を前記デューティー比により検知して前記設定回転数を変更したことを特徴とする請求項１〜請求項３のいずれかに記載の送風装置。
【請求項６】
前記空気通路内にイオンを放出するイオン発生装置を設けたことを特徴とする請求項１〜請求項５のいずれかに記載の送風装置。
【発明の詳細な説明】
【技術分野】
【０００１】
本発明は、ＰＷＭ制御される送風ファンを備えた送風装置に関する。
【背景技術】
【０００２】
従来の送風装置は特許文献１に開示されている。この送風装置は空気調和器から成り、吸込口及び吹出口を開口する筐体を備えている。筐体内には吸込口と吹出口とを連通させる空気通路が設けられる。空気通路内には送風ファン及び熱交換器が配される。送風ファンはＰＷＭ制御されるファンモータを有し、所定の設定回転数に維持して回転する。また、送風ファンと吸込口との間には塵埃を捕集する集塵フィルターが配される。
【０００３】
送風装置の運転が開始されると送風ファンが駆動される。これにより、送風ファンの送風によって室内の空気が吸込口から空気通路内に流入する。この時、送風ファンのファンモータはＰＷＭ制御によって設定回転数に維持するように駆動電圧のデューティー比を可変される。空気通路内に流入した空気は集塵フィルターにより塵埃が捕集され、熱交換器と熱交換して温調される。そして、温調された空気が吹出口から送出され、室内の空気調和が行われる。
【０００４】
塵埃の蓄積によって集塵フィルターが目詰まり状態になると、空気通路の流通抵抗が大きくなるため吸込口から空気通路内に流入する空気量が減少する。これにより、ファンモータの負荷が小さくなるため送風ファンの回転数が上昇する。このため、ファンモータの駆動電圧のデューティー比を下げて送風ファンが設定回転数に維持される。
【先行技術文献】
【特許文献】
【０００５】
【特許文献１】特許第３７４８９６４号公報（第４頁−第１２頁、第６図）
【発明の概要】
【発明が解決しようとする課題】
【０００６】
しかしながら、上記従来の送風装置によると、集塵フィルターの目詰まり等によって空気通路の流通抵抗が大きくなった場合に、送風ファンがＰＷＭ制御によって一定の設定回転数に維持される。このため、所望の風量が得られず、快適性が低下する問題があった。
【０００７】
また、空気通路の流通抵抗が小さくなった場合も同様に送風ファンがＰＷＭ制御によって一定の設定回転数に維持される。この時、送風ファンの駆動電圧のデューティー比が大きくなり、電力消費が大きくなる問題やファンモータに過電流が流れて定格電流を超える危険があった。
【０００８】
本発明は、風量低下を防止できる送風装置を提供することを目的とする。また本発明は、省電力化を図るとともに送風ファンの過電流を防止できる送風装置を提供することを目的とする。
【課題を解決するための手段】
【０００９】
上記目的を達成するために本発明は、空気通路と、前記空気通路内に配されるとともにＰＷＭ制御によって駆動電圧のデューディー比を可変して所定の設定回転数に維持される送風ファンとを備え、前記送風ファンにより送風して前記空気通路内に気流を流通させる送風装置において、前記設定回転数に到達した際に前記空気通路の流通抵抗に応じて異なる前記デューティー比に基づいて前記設定回転数を変更し、前記送風ファンの回転数を変更後の前記設定回転数に維持したことを特徴としている。
【００１０】
この構成によると、送風ファンの駆動によって空気通路内に送風され、空気通路内を気流が流通する。この時、送風ファンはＰＷＭ制御によって設定回転数に維持するように駆動電圧のデューティー比を可変される。設定回転数に到達した際に送風ファンの駆動電圧のデューティー比が所定値に対して大きい場合や小さい場合に設定回転数が変更される。そして、送風ファンは変更後の設定回転数に維持するようにＰＷＭ制御される。
【００１１】
また本発明は、上記構成の送風装置において、前記設定回転数に到達した際の前記デューティー比が所定値よりも小さいときに変更後の前記設定回転数を変更前よりも大きくしたことを特徴としている。この構成によると、空気通路の流通抵抗が大きいと送風ファンが設定回転数に到達した際に送風ファンの駆動電圧のデューディー比が小さくなる。この時、デューティー比が所定値よりも小さいと設定回転数を変更して大きくする。
【００１２】
また本発明は、上記構成の送風装置において、前記設定回転数に到達した際の前記デューティー比が所定値よりも大きいときに変更後の前記設定回転数を変更前よりも小さくしたことを特徴としている。この構成によると、空気通路の流通抵抗が小さいと送風ファンが設定回転数に到達した際に送風ファンの駆動電圧のデューディー比が大きくなる。この時、デューティー比が所定値よりも大きいと設定回転数を変更して小さくする。
【００１３】
また本発明は、上記構成の送風装置において、前記空気通路により連通する吸込口及び吹出口を開口した筐体と、前記筐体に取り付けられて前記吸込口を開閉する蓋部とを備え、前記送風ファンの駆動によって前記吸込口から吸い込まれた空気を前記吹出口から送出し、前記蓋部を開いた際に前記筐体が前記蓋部の支持により卓上に立設されるとともに、前記蓋部を閉じた際に前記蓋部と前記筐体との隙間を介して前記吸込口から吸気され、前記蓋部の開閉による前記空気通路の流通抵抗の変化を前記デューティー比により検知して前記設定回転数を変更したことを特徴としている。
【００１４】
この構成によると、蓋部を開いて卓上に置くと、筐体が蓋部の支持によって卓上に立設される。送風ファンが駆動されると周囲の空気が吸込口から空気通路に流入し、吹出口から使用者の頭部等に向けて送出される。また、送風装置の携行時等に蓋部により吸込口が閉じられる。この時、空気通路の流通抵抗が蓋部を開いた場合よりも大きくなる。送風ファンが駆動されると蓋部と筐体との隙間を介して吸込口に周囲の空気が導かれ、空気通路を流通する空気が吹出口から使用者の頭部等に向けて送出される。
【００１５】
また本発明は、上記構成の携帯型送風装置において、前記空気通路により連通する吸込口及び吹出口を開口した筐体と、前記空気通路内に配されるとともに通気性及び吸水性を有して前記空気通路を流通する空気を加湿する着脱自在の加湿フィルターと、前記加湿フィルターが浸漬される水受け皿と、前記空気通路内に配される集塵フィルターとを備え、前記送風ファンの駆動によって前記吸込口から吸い込まれた空気を前記集塵フィルターにより除塵するとともに前記加湿フィルターにより加湿して前記吹出口から送出し、前記加湿フィルターの着脱による前記空気通路の流通抵抗の変化を前記デューティー比により検知して前記設定回転数を変更したことを特徴としている。
【００１６】
この構成によると、加湿フィルターは装着時に水受け皿に浸漬されて吸水する。送風ファンが駆動されると周囲の空気が吸込口から空気通路に流入する。空気通路に流入する空気は集塵フィルターによって除塵され、加湿フィルターを通過する際に加湿される。加湿された空気は吹出口から送出される。加湿フィルターを脱着して送風ファンが駆動されると周囲の空気が吸込口から空気通路に流入し、集塵フィルターにより除塵して吹出口から送出される。この時、空気通路の流通抵抗が加湿フィルターの装着時よりも小さくなる。
【００１７】
また本発明は、上記構成の送風装置において、前記空気通路内にイオンを放出するイオン発生装置を設けたことを特徴としている。この構成によると、送風ファン及びイオン発生装置の駆動によってイオンを含む空気が送出される。これにより、使用者の周囲や室内の除菌等を行うことができる。
【発明の効果】
【００１８】
本発明によると、ＰＷＭ制御される送風ファンが設定回転数に到達した際に駆動電圧のデューティー比に基づいて設定回転数を変更し、送風ファンの回転数を変更後の設定回転数に維持している。これにより、空気通路の流通抵抗が初期の設定回転数に対応した流通抵抗に対して大きくなると、設定回転数を大きくして風量低下を防止することができる。また、空気通路の流通抵抗が初期の設定回転数に対応した流通抵抗に対して小さくなると、設定回転数を小さくして送風ファンの省電力化を図るとともに過電流を防止することができる。
【図面の簡単な説明】
【００１９】
【図１】本発明の第１実施形態の送風装置を正面から見た斜視図
【図２】本発明の第１実施形態の送風装置を背面から見た斜視図
【図３】本発明の第１実施形態の送風装置の右側面断面図
【図４】本発明の第１実施形態の送風装置の左側面断面図
【図５】図３のＢ−Ｂ断面図
【図６】図３のＣ−Ｃ断面図
【図７】本発明の第２実施形態の送風装置を示す斜視図
【図８】本発明の第２実施形態の送風装置を示す右側面断面図
【発明を実施するための形態】
【００２０】
以下に本発明の実施形態を図面を参照して説明する。図１は第１実施形態の送風装置を正面から見た斜視図である。送風装置１は携帯型に構成され、携帯可能な大きさに形成された平面視略矩形の薄箱状の筐体２を備えている。筐体２の厚み方向に対して直交する前面２ａには表示部４が設けられる。表示部４は液晶表示パネル等により形成され、送風装置１の動作状態等を表示する。
【００２１】
前面２ａに対向する背面２ｂは筐体２の厚み方向に対して直交し、回動自在の蓋部３により覆われる。前面２ａ及び背面２ｂに隣接して筐体２の周面を形成する一方の側面２ｃには電源スイッチ５が設けられる。筐体２の周面を形成する上面２ｄには吹出口７が開口する。吹出口７には格子状のグリル７ａが設けられる。
【００２２】
図２は送風装置１を背面から見た斜視図であり、蓋部３を開いた状態を示している。蓋部３は吹出口７から離れた下端部で筐体２に枢支され、筐体２の背面２ｂには複数の小孔から成る吸込口６が開口する。蓋部３を開くと吸込口６が露出し、蓋部３を閉じると吸込口６及び吸込口６の周囲が覆われる。また、蓋部３を開いた際に蓋部３の支持によって筐体２を卓上に立設して送風装置１を設置することができる。
【００２３】
図３、図４は送風装置１の蓋部３を閉じた状態の右側面断面図及び蓋部３を開いた状態の左側面断面図を示している。また、図５、図６は図３のＢ−Ｂ断面図及びＣ−Ｃ断面図を示している。筐体２は背面２ｂを形成する背面パネル２ｆを有している。背面パネル２ｆは前面を開口して上面断面が断面コ字状に形成される。
【００２４】
背面パネル２ｆの前面の開口部は仕切パネル２２により覆われる。仕切パネル２２はネジ孔２２ａに螺合するネジ（不図示）により背面パネル２ｆに取り付けられる。仕切パネル２２の前面には筐体２の前面２ａを形成する上面断面が断面コ字状の前面パネル２ｅが係着される。
【００２５】
前面パネル２ｅ及び背面パネル２ｆの上部にはキャップ状の上部カバー２ｇが被嵌される。筐体２の側面は断面コ字状の前面パネル２ｅ及び背面パネル２ｆにより形成される。尚、背面パネル２ｆの上部にはネックストラップを取り付ける取付孔２ｈが設けられ、送風装置１を使用者の首から吊り下げて携行することができる。
【００２６】
蓋部３はヒンジ機構１０により筐体２に枢支される。ヒンジ機構１０は第１シャフト１１、第２シャフト１２、ギヤ１３及び引っ張りバネ１４を備えている。第１シャフト１１は蓋部３と一体に設けられ、背面パネル２ｆに回転自在に支持される。第１シャフト１１により蓋部３の回動軸が形成される。
【００２７】
第２シャフト１２は背面パネル２ｆに支持され、第１シャフト１１の径方向に移動可能に配される。ギヤ１３は第１シャフト１１と一体に設けられ、中心角が９０゜よりも狭い範囲に複数の歯１３ａが形成される。ギヤ１３の隣接する歯１３ａ間に第２シャフト１２が配される。引っ張りバネ１４は第１シャフト１１及び第２シャフト１２に両端が掛着され、第２シャフト１２をギヤ１３に押しつける方向に付勢する付勢手段を構成する。
【００２８】
蓋部３の回動により第１シャフト１１及びギヤ１３が一体に回動し、引っ張りバネ１４の付勢力に抗して第２シャフト１２がギヤ１３の歯先の方向に移動する。そして、歯１３ａ間を第２シャフト１２が周方向に相対移動し、筐体２に対して蓋部３を９０゜以下の所望の角度に配することができる。
【００２９】
蓋部３は閉じた際に背面パネル２ｆとの間に隙間２３が形成される。隙間２３は蓋部３の両側端面間にわたって設けられ、蓋部３を閉じた状態で外気が隙間２３を介して吸込口６に流入可能になっている。また、蓋部３の内面には吸込口６に対向する部分に凹部３ａが設けられる。凹部３ａによって吸込口６に対向する隙間２３の大きさＤ１が吸込口６の周囲に対向する隙間２３の大きさＤ２よりも大きくなっている。尚、吸込口６の周囲に対向する隙間２３を省き、Ｄ２＝０としてもよい。
【００３０】
凹部３ａにより蓋部３の肉厚が薄くなるが、送風装置１の大型化を抑制できるとともに吸込口６の周囲に対向する部分の肉厚によって蓋部３の強度を確保することができる。尚、蓋部３の凹部３ａの背面側を突出させて肉厚を大きくし、蓋部３の強度を向上させてもよい。この時、蓋部３の突出した部分が吸込口６に対向した一部であるため、送風装置１の大型化を抑制することができる。
【００３１】
背面パネル２ｆ内には仕切パネル２２により前面が覆われて吸込口６と吹出口７とを連結する空気通路８が形成される。空気通路８内には遠心ファンから成る送風ファン１７が配される。
【００３２】
送風ファン１７はＰＷＭ制御されるファンモータ及び羽根車（いずれも不図示）を備えている。ＰＷＭ制御によって送風ファン１７のファンモータは設定回転数に維持するように駆動電圧のデューティー比を可変される。
【００３３】
送風ファン１７の吸気口（不図示）は吸込口６に対向して配され、排気口（不図示）が吹出口７の方向に向けて配される。送風ファン１７は背面パネル２ｆに対して軸方向に所定の距離を隔てて配され、吸込口６には背面パネル２ｆの内面側に固着して塵埃を捕集する集塵フィルター１６が配される。
【００３４】
仕切パネル２２によって筐体２の前面側上部には隔離室２２ｂが形成され、前面側下部には隔離室２２ｃが形成される。仕切パネル２２の背面側には送風装置１の制御回路を実装した制御基板１５が取り付けられる。制御基板１５には隔離室２２ｂ、２２ｃにそれぞれ臨む端子部１５ａが接続される。隔離室２２ｂ、２２ｃにそれぞれ収納されるイオン発生装置１８及びバッテリ１９は端子部１５ａを介して制御回路に接続される。
【００３５】
イオン発生装置１８は空気通路８に臨む複数の電極（不図示）を有している。電極には交流波形またはインパルス波形から成る電圧が印加される。一の電極には正電圧が印加され、電離により発生する水素イオンが空気中の水分と結合して主としてＨ+（Ｈ2Ｏ）ｍから成る電荷が正のクラスタイオンが形成される。他の電極には負電圧が印加され、電離により発生する酸素イオンが空気中の水分と結合して主としてＯ2-（Ｈ2Ｏ）ｎから成る電荷が負のクラスタイオンが形成される。ここで、ｍ、ｎは任意の自然数である。
【００３６】
Ｈ+（Ｈ2Ｏ）ｍ及びＯ2-（Ｈ2Ｏ）ｎは空気中の浮遊菌や臭い成分の表面で凝集してこれらを取り囲む。そして、式（１）〜（３）に示すように、衝突により活性種である［・ＯＨ］（水酸基ラジカル）やＨ2Ｏ2（過酸化水素）を浮遊菌や臭い成分等の表面上で凝集生成してこれらを破壊する。ここで、ｍ’、ｎ’は任意の自然数である。
【００３７】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ    ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３８】
上記構成の送風装置１において、送風装置１は蓋部３を閉じた状態で携行される。蓋部３を所望の角度に開いて卓上に置くと、蓋部３の支持により筐体２が卓上に立設される。電源スイッチ５が入れられると送風ファン１７及びイオン発生装置１８が駆動される。送風ファン１７の駆動によって矢印Ａ１（図４参照）に示すように吸込口６を介して空気通路８内に外気が流入する。
【００３９】
この時、送風ファン１７のファンモータの駆動電圧は例えば２５ｋＨｚ（周期４０μｓ）で駆動され、ＰＭＷ制御によってデューティー比が可変される。そして、送風ファン１７が所定の設定回転数（例えば、１０００ｒｐｍ）に維持される。送風ファン１７の回転数が１０００ｒｐｍに到達した時に送風ファン１７のファンモータの駆動電圧のデューティー比は例えば、６５％になっている。設定回転数は蓋部３が開いた状態で所望の風量となるように予め設定されている。
【００４０】
空気通路８内に流入した空気は集塵フィルター１６により塵埃を捕集して除塵される。矢印Ａ２（図３、図４参照）に示すように空気通路８を流通する空気にはイオン発生装置１８で発生したイオンが含まれる。そして、矢印Ａ３（図３、図４参照）に示すように吹出口７から上方の使用者の頭部等に向けてプラスイオン及びマイナスイオンを含む空気流が送出される。これにより、屋外や屋内で手軽に涼しさを得ることができるとともに、使用者の周囲の除菌や臭い除去を行うことができる。
【００４１】
また、送風装置１の携行時に蓋部３が閉じられると、吸込口６が蓋部３により覆われる。これにより、集塵フィルター１６に付着した塵埃の脱落が防止され、周囲への塵埃の飛散や衣服への塵埃の付着を防止することができる。
【００４２】
送風装置１を使用者の首から吊り下げて携行した状態や把持した状態で電源スイッチ５が入れられると、矢印Ａ４（図５、図６参照）に示すように隙間２３を介して外気が吸込口６に導かれる。
【００４３】
この時、蓋部３が閉じられるため開いたときよりも空気通路８の流通抵抗が大きくなる。これにより、吸込口６から吸い込まれる空気量が減少して送風ファン１７の負荷が小さくなり、送風ファン１７の駆動電圧のデューティー比が低くなる。即ち、上記例で示したように初期の設定回転数を１０００ｒｐｍとすると、蓋部３が閉じた状態で１０００ｒｐｍに到達した時のデューティー比が６５％よりも低くなる。
【００４４】
この状態で送風ファン１７が初期の設定回転数に維持されると風量が低下する。このため、デューティー比が所定値よりも低いことを検知すると、設定回転数を変更して大きくする。そして、変更後の設定回転数（例えば、１３００ｒｐｍ）に維持されるように送風ファン１７がＰＭＷ制御される。送風ファン１７の回転数が１３００ｒｐｍに到達した時に送風ファン１７のファンモータの駆動電圧のデューティー比は例えば、５５％になっている。
【００４５】
これにより、蓋部３を閉じた際の風量の低下を防止することができる。この時、送風ファン１７の負荷の低下をデューティー比により判別できるため、別途検知センサを設ける必要がない。送風ファン１７の駆動電圧のパルス幅の検知によりデューティー比の低下を判別してもよい。
【００４６】
尚、蓋部３に設けた凹部３ａにより吸込口６に対向する部分の流路面積が吸込口６の周囲に対向する部分よりも大きくなる。従って、流量の減少を抑制することができ、変更後の設定回転数を小さくして省電力化を図ることができる。
【００４７】
イオンを含む空気流は上面２ｄに配される吹出口７から上方に向けて送出される。これにより、送風装置１の携行時においても涼しさを得ることができるとともに、使用者の周囲の除菌や臭い除去を行うことができる。
【００４８】
本実施形態によると、ＰＷＭ制御される送風ファン１７が設定回転数に到達した際に駆動電圧のデューティー比に基づいて設定回転数を変更し、送風ファン１７の回転数を変更後の設定回転数に維持している。これにより、空気通路８の流通抵抗が初期の設定回転数に対応した流通抵抗に対して大きくなると、設定回転数を大きく変更して風量低下を防止することができる。この時、空気通路８の流通抵抗の変化を設定回転数に到達した際の送風ファン１７の駆動電圧のデューティー比によって容易に検知することができる。
【００４９】
また、蓋部３を開いた際に筐体２が蓋部３の支持により卓上に立設されて送風装置１を設置できるので、筐体２を立設するスタンドを別途設ける必要がなくコストを削減できる。また、蓋部３を閉じた際に蓋部３と筐体２との間に隙間２３が設けられ、送風ファン１７の駆動によって隙間２３を介して外気が吸込口６に導かれるので、送風装置１の携行時においても涼しさを得ることができる。この時、蓋部３を閉じて空気通路８の流通抵抗が大きくなるとデューティー比の検知によって設定回転数を大きし、所望の風量が得られる。
【００５０】
また、空気通路８内にイオンを放出するイオン発生装置１８を設けたので、使用者の周囲の除菌や臭い除去を行うことができる。
【００５１】
本実施形態において、蓋部３が閉じた際に所望の風量が送出されるように送風ファン１７の初期の設定回転数（例えば、１３００ｒｐｍ）を設定してもよい。これにより、蓋部３を開いた際に流通抵抗の低下により送風ファン１７の負荷が増加してデューティー比が大きくなると、設定回転数を変更して小さくする。そして、送風ファン１７がＰＷＭ制御によって変更後の設定回転数（例えば、１０００ｒｐｍ）に維持される。従って、蓋部３の開成時に送風ファン１７の省電力化を図ることができるとともに、ファンモータの定格電流を超える過電流を防止することができる。
【００５２】
次に、図７は第２実施形態の送風装置の斜視図を示している。説明の便宜上、前述の図１〜図６に示す第１実施形態と同様の部分には同一の符号を付している。送風装置３１は加湿機を構成し、底面に複数のキャスター３３を有して床面等に設置される筐体３２を備えている。筐体３２の上面には吹出口７が開口し、背面には吸込口６（図８参照）が開口する。また、筐体３２の上面には操作部３４が設けられる。
【００５３】
図８は送風装置３１の側面断面図を示している。筐体３２の内部には吸込口６と吹出口７とを連通させる空気通路４０が設けられる。空気通路４０は筐体３２の上端から下方に延びる仕切壁４０ａによって上部を前後方向に分割される。空気通路４０内の下部には遠心ファンから成る送風ファン１７が配される。空気通路４０は送風ファン１７の上流側となる仕切壁４０ａの後方に吸気路４１が形成され、下流側となる仕切壁４０ａの前方に上方に延びる排気路４２が形成される。
【００５４】
送風ファン１７はＰＷＭ制御されるファンモータ１７ａとファンモータ１７ａにより回転する羽根車１７ｂとを有している。ＰＷＭ制御によって送風ファン１７は設定回転数に維持するように駆動電圧のデューティー比を可変される。
【００５５】
空気通路４０の吸気路４１内には吸込口６に面して脱臭フィルター３５及び集塵フィルター３６が積層して配置される。脱臭フィルター３５は例えば、不織布に活性炭を分散保持して形成され、空気中の臭い成分を吸着して除去する。集塵フィルター３６は例えば、ＨＥＰＡフィルターにより形成され、空気中の微細な塵埃を捕集する。従って、送風装置３１は室内の空気を取り込んで塵埃や臭い成分を除去する空気清浄機としても機能する。
【００５６】
送風ファン１７と集塵フィルター３６との間には加湿フィルター５０が配される。加湿フィルター５０は円板状の吸水材５０ａを保持枠５０ｂにより保持して形成され、保持枠５０ｂの中央には軸部５０ｃが設けられる。加湿フィルター５０の下方には水受け皿５３が配され、軸部５０ｃによって加湿フィルター５０が水受け皿５３に回転自在に支持される。
【００５７】
水受け皿５３は筐体３２に対して側方にスライド自在に形成され、着脱自在の給水タンク（不図示）から給水される。これにより、加湿フィルター５０の下部が水受け皿５３に浸漬される。また、加湿フィルター５０は水受け皿５３に対して着脱自在に設けられる。
【００５８】
加湿フィルター５０の吸水材５０ａは通気性及び吸水性を有する不織布等により形成される。これにより、吸水材５０ａが水受け皿５３から吸水し、吸気路４１を流通して加湿フィルター５０を通過する空気を加湿する。加湿フィルター５０の保持枠５０ｂの周面にはギヤ部５０ｄが形成される。ギヤ部５０ｄは筐体３２に支持された駆動モータ５１により回転を伝達される複数の伝達ギヤ５２に噛合する。これにより、加湿フィルター５０が回転し、吸気路４１を流通する空気を均一に加湿することができる。
【００５９】
吹出口７近傍には第１実施形態と同様のイオン発生装置１８が空気通路４０の排気路４２に面して配される。これにより、空気通路４０内にイオンが放出される。また、筐体３２の表面には室内の空気中の塵埃量や臭い成分を検知する埃センサ及び臭いセンサ（いずれも不図示）が設けられる。
【００６０】
上記構成の送風装置３１において、操作部３４の操作により送風装置３１の運転が開始されると、駆動モータ５１、送風ファン１７及びイオン発生装置１８が駆動される。送風装置３１は複数の動作モードを備え、埃センサや臭いセンサの検知によって表１に示すように送風ファン１７の設定回転数が異なる弱、中、強の各動作モードに切り替える。
【００６１】
【表１】
2013087715.tif 000003
【００６２】
即ち、室内の空気中の塵埃量や臭い成分が第１閾値よりも少ない場合は動作モードが弱に設定される。この時、送風ファン１７の回転数が低速の設定回転数（４３０ｒｐｍ）に設定される。室内の空気中の塵埃量や臭い成分が第１閾値よりも多い場合は動作モードが中に設定される。この時、送風ファン１７の回転数が中速の設定回転数（９６０ｒｐｍ）に設定される。
【００６３】
更に、室内の空気中の塵埃量や臭い成分が第１閾値よりも大きい第２閾値よりも多い場合は動作モードが強に設定される。この時、送風ファン１７の回転数が高速の設定回転数（１４２０ｒｐｍ）に設定される。また、操作部３４の操作によって手動で動作モードを切り替えることもできる。
【００６４】
送風ファン１７の駆動によって矢印Ｂ１（図８参照）に示すように吸込口６を介して空気通路４０内に外気が流入する。この時、送風ファン１７のファンモータ１７ａの駆動電圧は例えば２５ｋＨｚ（周期４０μｓ）で駆動され、ＰＭＷ制御によってデューティー比が可変される。そして、送風ファン１７が動作モードに応じた設定回転数に維持され、所望の風量が得られる。
【００６５】
即ち、表１に示すように、動作モードが弱の場合は設定回転数に到達時に送風ファン１７の消費電力が例えば２．８０Ｗになり、風量が例えば０．８３ＣＭＭ（ｍ3／ｍｉｎ）になっている。動作モードが中の場合は設定回転数に到達時に送風ファン１７の消費電力は例えば１２．７２Ｗになり、風量は例えば２．８１ＣＭＭ（ｍ3／ｍｉｎ）になっている。動作モードが強の場合は設定回転数に到達時に送風ファン１７の消費電力は例えば４２．０７Ｗになり、風量は例えば４．６３ＣＭＭ（ｍ3／ｍｉｎ）になっている。また、送風ファン１７のファンモータ１７ａの駆動電圧のデューティー比は例えば、６５％になっている。
【００６６】
空気通路４０内に流入した空気は脱臭フィルター３５により臭い成分を除去され、集塵フィルター３６により塵埃を捕集して除塵される。塵埃及び臭い成分が除去された空気は加湿フィルター５０を通過して加湿される。加湿された空気は矢印Ｂ２（図８参照）に示すように排気路４２を流通し、イオン発生装置１８で発生したイオンが含まれる。そして、矢印Ｂ３（図８参照）に示すように吹出口７から室内にプラスイオン及びマイナスイオンを含む空気流が送出される。これにより、室内の加湿や空気清浄を行うとともに除菌や臭い除去を行うことができる。
【００６７】
また、加湿フィルター５０を取り外すと、集塵フィルター３６及び脱臭フィルター３５により室内の空気清浄を行うことができる。この時、加湿フィルター５０の装着時よりも空気通路４０の流通抵抗が小さくなる。これにより、吸込口６から吸い込まれる空気量が増加して送風ファン１７の負荷が大きくなり、送風ファン１７の駆動電圧のデューティー比が高くなる。即ち、初期の設定回転数を１４２０ｒｐｍ（動作モードが強の場合）とすると、加湿フィルター５０を脱着した状態で１４２０ｒｐｍに到達した時のデューティー比が６５％よりも高くなる。
【００６８】
この状態で送風ファン１７が初期の設定回転数に維持されると、電力消費が大きくなるとともにファンモータ１７ａに過電流が流れて定格電流を超える危険がある。このため、デューティー比が所定値よりも高いことを検知すると、設定回転数を変更して小さくする。そして、変更後の設定回転数（例えば、１３５０ｒｐｍ）に維持されるように送風ファン１７がＰＭＷ制御される。
【００６９】
即ち、表１に示すように、加湿フィルター５０の脱着状態をデューティー比により検知すると、動作モードが弱の場合は設定回転数が４３０ｒｐｍから３６０ｒｐｍに変更される。変更後の設定回転数に到達時に送風ファン１７の消費電力は例えば２．４０Ｗになり、風量は例えば加湿フィルター５０の装着時と同じ０．８３ＣＭＭ（ｍ3／ｍｉｎ）になっている。
【００７０】
動作モードが中の場合は設定回転数が９６０ｒｐｍから８９０ｒｐｍに変更される。変更後の設定回転数に到達時に送風ファン１７の消費電力は例えば１０．２Ｗになり、風量は例えば加湿フィルター５０の装着時と同じ２．８１ＣＭＭ（ｍ3／ｍｉｎ）になっている。
【００７１】
動作モードが強の場合は設定回転数が１４２０ｒｐｍから１３５０ｒｐｍに変更される。変更後の設定回転数に到達時に送風ファン１７の消費電力は例えば３７．９Ｗになり、風量は例えば加湿フィルター５０の装着時と同じ４．６３ＣＭＭ（ｍ3／ｍｉｎ）になっている。また、送風ファン１７のファンモータ１７ａの駆動電圧のデューティー比は例えば、７５％になっている。
【００７２】
これにより、加湿フィルター５０を脱着した際の省電力化を図るとともに過電流を防止することができる。この時、送風ファン１７の負荷の増加をデューティー比により判別できるため、別途検知センサを設ける必要がない。送風ファン１７の駆動電圧のパルス幅の検知によりデューティー比の増加を判別してもよい。
【００７３】
本実施形態によると、ＰＷＭ制御される送風ファン１７が設定回転数に到達した際に駆動電圧のデューティー比に基づいて設定回転数を変更し、送風ファン１７の回転数を変更後の設定回転数に維持した。これにより、空気通路４０の流通抵抗が初期の設定回転数に対応した流通抵抗に対して小さくなると、設定回転数を小さくして送風ファン１７の省電力化を図るとともに過電流を防止することができる。この時、空気通路４０の流通抵抗の変化を設定回転数に到達した際の送風ファン１７の駆動電圧のデューティー比によって容易に検知することができる。
【００７４】
また、集塵フィルター１６と着脱自在の加湿フィルター５０とを備えたので、加湿フィルター５０を取り外して室内の空気清浄を行うことができる。この時、加湿フィルター５０を脱着して空気通路４０の流通抵抗が小さくなると、送風ファン１７のデューティー比の検知によって設定回転数を変更して小さくする。これにより、送風装置３１の省電力化を図ることができる。
【００７５】
また、空気通路４０内にイオンを放出するイオン発生装置１８を設けたので、室内の周囲の除菌や臭い除去を行うことができる。
【００７６】
本実施形態において、加湿フィルター５０を脱着した際に所望の風量が送出されるように送風ファン１７の初期の設定回転数（例えば、動作モードが強の場合に１３５０ｒｐｍ）を設定してもよい。これにより、加湿フィルター５０を装着した際に流通抵抗の増加により送風ファン１７の負荷が低下してデューティー比が小さくなると、設定回転数を変更して大きくする。そして、送風ファン１７がＰＷＭ制御によって変更後の設定回転数（例えば、１４２０ｒｐｍ）に維持される。従って、加湿フィルター５０の装着時に送風ファン１７の風量低下を防止することができる。
【００７７】
第１、第２実施形態において、空気通路８、４０を流通する空気を吹出口７から送出する送風装置１、３１について説明しているが、空気通路に空気を循環させるように送風する送風装置であってもよい。また、イオン発生装置１８によってマイナスイオンのみを放出してもよい。これにより、使用者のリラクゼーション効果を得ることができる。
【産業上の利用可能性】
【００７８】
本発明によると、ＰＭＷ制御される送風ファンを備えた送風装置に利用することができる。
【符号の説明】
【００７９】
１、３１  送風装置
２、３２  筐体
２ｅ  前面パネル
２ｆ  背面パネル
２ｇ  上部カバー
３    蓋部
４    表示部
５    電源スイッチ
６    吸込口
７    吹出口
８、４０  空気通路
９    マグネット
１０    ヒンジ機構
１１    第１シャフト
１２    第２シャフト
１３    ギヤ
１４    引っ張りバネ
１５    制御基板
１６、３６  集塵フィルター
１７    送風ファン
１８    イオン発生装置
１９    バッテリ
２２    仕切パネル
２３    隙間
３５    脱臭フィルター
４１    吸気路
４２    排気路
５０    加湿フィルター
５０ａ  吸水材
５１    駆動モータ
５２    伝達ギヤ
５３    水受け皿
【図１】
2013087715.tif 000004
【図２】
2013087715.tif 000005
【図３】
2013087715.tif 000006
【図４】
2013087715.tif 000007
【図５】
2013087715.tif 000008
【図６】
2013087715.tif 000009
【図７】
2013087715.tif 000010
【図８】
2013087715.tif 000011